(57)【特許請求の範囲】
【請求項１】
フェース面（６）を形成する断面矩形の板材（６Ａ）の背面に、その先端側と手元側にパターヘッド（１）のトウ部（２）及びヒール部（３）となる一対のブロック（４）（５）が連成され、フェース面（６）の板材（６Ａ）のヒール部（３）側上部にシャフトが装着されるホーゼル（７）が設けられたピン型のゴルフ用パターヘッド（１）において、
前記一対のブロック（４）（５）には、バックサイド側（８）に夫々棚部（９）（１０）が連成され、
パターヘッド（１）を俯瞰してバックサイド側（８）のトウ部（２）の上端から薄肉のソール（１１）の中央部上端（１１Ａ）を経てヒール部（３）の上端に亘る線分（Ａ）がフェース面（６）のリーディングエッジ（１２）に対して傾斜し、すなわちヘッド幅がヒール部（３）側からトウ部（２）側にいくにつれて狭くなるように形成されることにより傾斜し、
この線分（Ａ）の傾斜角度はリーディングエッジ（１２）に対して２〜６度に設定さていることを特徴とするパターヘッド。
【請求項２】
前記棚部（１０）の肉厚が棚部（９）に比べて厚くされ、両棚部（９）（１０）の体積が同一に設定されたことを特徴とする請求項１に記載のパターヘッド。
【発明の詳細な説明】
【０００１】
【発明の属する技術分野】
本発明は、ゴルフゲームで用いるパターのヘッドの改良に関し、特にはピン型、マレット型等ヘッド幅又はソール幅の比較的広いパターヘッドの改良に関する。
【０００２】
【従来の技術】
ターゲット方向（ターゲットライン）にボールを正確に打出すようにパッティングするには、フェース面をターゲットラインに直角にしてボールを打撃する必要があり、このためには、アドレスの位置からフェース面をターゲットラインに直角に保ちながら、パターヘッドをターゲットラインに沿って後方に引いた後、ボールに向かってヘッドを振り子式にスイングしてボールをヒットするのが良いとされている。特に、従来に比し、比較的ソール幅の広い最近のピン型やマレット型のパターでは、上述のスイングが好ましいとされている。
【０００３】
【発明が解決しようとする課題】
しかるに、最近の比較的ヘッド幅又はソール幅の広いパターヘッドにおいては、トウ部からヒール部に亘って、ヘッド幅又はソール幅がほぼ同一の寸法とされているために、アドレスでフェースのリーディングエッジをターゲットラインに直角に合わせた後、パターヘッドをターゲットラインに沿って後方に移動しようとすると、プレーヤーの目の錯覚によってヘッドが右に傾斜して見えるために（右打時）、ターゲットラインより内側（プレーヤーの身体側）にヘッドを引く傾向となってフェース面がターゲットラインに直角でなくなることがある。従って、後方に引かれたヘッドをターゲットラインに沿って振り子式にボールに向かってスイングすることができなくなって、ターゲット方向にボールを正確に打出すことが困難となっている。
【０００４】
このような実情に鑑みて、本発明の目的とするところは、ターゲットラインに沿って正確にスイングし易く、打球の方向性に優れたゴルフパターヘッドを提供することである。
【０００５】
【課題を解決するための手段】
上述の目的を達成するため、本発明は、フェース面を形成する断面矩形の板材の背面に、その先端側と手元側にパターヘッドのトウ部及びヒール部となる一対のブロックが連成され、フェース面の板材のヒール部側上部にシャフトが装着されるホーゼルが設けられたピン型のゴルフ用パターヘッドにおいて、前記一対のブロックには、バックサイド側に夫々棚部が連成され、パターヘッドを俯瞰してバックサイド側のトウ部の上端から薄肉のソールの中央部上端を経てヒール部の上端に亘る線分がフェース面のリーディングエッジに対して傾斜し、すなわちヘッド幅がヒール部側からトウ部側にいくにつれて狭くなるように形成されることにより傾斜し、この線分の傾斜角度はリーディングエッジに対して２〜６度に設定されているものである。
【０００６】
【発明の実施の形態】
以下に本発明の好適な実施例について図面を参照しつつ説明する。
【０００７】
図１に示す実施例は、ピン型のパターヘッド１を示し、この平面では、フェース面６を形成する断面矩形の板材６Ａの背面に、その先端側と手元側にパターヘッド１のトウ部２及びヒール部３となる上面傾斜の一対のブロック４，５が連成されている（図３の側面図参照）。フェース面６の板材６Ａのヒール部３側上部には、シャフトが挿着されるホーゼル７が設けられている。前記トウ部２側、ヒール部３側のブロック４，５には、バックサイド側８に、夫々、棚部９，１０が連成されている。ヘッド１の材質は全部材とも銅製とされている。本発明に係るパターヘッド１を俯瞰して、バックサイド側８のトウ部２の上端から、薄肉のソール１１の中央部上端１１Ａを経て、ヒール部３の上端に亘る線分Ａがフェース面６のリーディングエッジ１２に対して紙面上左に傾斜されている。この傾斜は、ヘッド幅がヒール部３側からトウ部２側にいくにつれて狭くなることにより、形成される。
【０００８】
前記線分Ａの傾斜角度は、フェース面６のリーディングエッジ１２に対して左３度とされているが、この角度は２〜６度の範囲に設定されるのが好ましい。６度を越えると前記慣性モーメントのヒール／トウ間でのバランスがとり難くなる。２度未満では、プレーヤーの視覚イメージを変えるに至らなくなる。
【０００９】
トウ部２のヘッド幅、特に、前記棚部１０の幅が狭くなって、ヒール部３対比での重心廻りの慣性モーメントのアンバランスとヘッド重心の偏位を補正する為に、トウ部２側の棚部１０の肉厚がヒール部３側対比厚くされ、トウ部２側とヒール部３側の棚部９，１０の体積がほぼ同一に設定されている（図２のパターヘッド背面図参照）。
【００１０】
なお、図１に一点鎖線で示すように、前記薄肉のソール１１の中央部を前記線分Ａよりフェース面６側に湾状に凹ませて、トウ部２側及びヒール部３側の慣性モーメントを中央部と比較して相対的に大きくすることができる。
【００１１】
【発明の効果】
以上説明したように、本発明に係るゴルフパターヘッドでは、アドレスから後方に引かれたパターヘッドを俯瞰した場合に、バックサイド側のトウ部の上端とヒール部の上端とを結ぶ線分が、トウ側のヘッド幅が狭くなるように、フェース面のリーディングエッジに対して傾斜されているので、パターヘッドがターゲットラインに対し直角に保たれている感覚をプレーヤー（右打ち）に与えることができて、パターヘッドをターゲットラインに沿って後方に引き易くなる。即ち、正しいバックスイングができるようになる。この結果、ターゲットライン方向にボールを正確に打出すことができる。また、ヒール部側のヘッド幅又はソール幅が広いので、パターヘッドを誤ってターゲットラインから外して内側に引こうとすると、ヒール部が地面に引っかかる感じが発生するのでこの点からも誤ったバックスイングが防止される。また、本発明に係るゴルフパターヘッドでは、従来品と同様にトウ部及びヒール部側に重量が偏重されているので、両部分のヘッド重心廻りの慣性モーメント（断面２次モーメント）が大となってフェースのスイートエリアを外れた打球であっても、ターゲットライン方向にほぼ沿った正確な方向性を得ることができる。しかも、請求項１の発明により、トウ部側とヒール部側のヘッド幅の差異に基づく慣性モーメントのアンバランス及びヘッド重心の偏位は請求項２に記載するように、バックサイド側のトウ部を、厚肉にしたりこの部分に比重の大きいウエイトを埋める等によって、偏重することでもってこれを修正できる。
【図面の簡単な説明】
【図１】本発明の好適な実施例を示す平面図。
【図２】背面図。
【図３】側面図。
【符号の説明】
１  パターヘッド
２  トウ部
３  ヒール部
６  フェース面
８  バックサイド側
１２  リーディングエッジ
Ａ  線分
【図１】
0004054109.tif 000002
【図２】
0004054109.tif 000003
【図３】
0004054109.tif 000004